(57)【要約】【課題】製品自体の重量を軽減し取り扱いを便利にする共に、通気性を高めて衛生的にすること、就寝中の汗の乾きを早め、涼感を持続させることができる、実用価値の高い竹製枕を提供することにある。【解決手段】梁部材１によって対峙状態に連結された一対の端板２と、この一対の端板２の周縁部間に平行に張設された複数本の索条体６と、竹材からなる扁平矩形板状の複数個の竹駒４で、その少なくとも幅方向両側に前記索条体６が挿通する縦貫通孔を有し、前記端板２間の索条体６に前記竹駒４を挿通して数珠繋ぎに接続した複数組の竹駒集合体７とを具備する竹製枕において、前記各竹駒４に前記縦貫通孔と直交する方向に貫通した横貫通孔１０と、各竹駒４の内外面に連通して開口する通気穴１１とを設けたことを特徴とする。【選択図】図１
0003107993.tif 000002
【実用新案登録請求の範囲】
【請求項１】
梁部材によって対峙状態に連結された一対の端板と、この一対の端板の周縁部間に平行に張設された複数本の索条体と、竹材からなる扁平矩形板状の複数個の竹駒で、その少なくとも幅方向両側に前記索条体が挿通する縦貫通孔を有し、前記端板間の索条体に前記竹駒を挿通して数珠繋ぎに接続した複数組の竹駒集合体とを具備する竹製枕において、前記各竹駒に前記縦貫通孔と直交する方向に貫通した横貫通孔と、各竹駒の内外面に連通して開口する通気穴とを設けたことを特徴とする竹製枕。
【請求項２】
前記横貫通孔と前記通気穴が各竹駒の中央位置で交差連通していることを特徴とする請求項１記載の竹製枕。
【請求項３】
前記各竹駒の縦貫通孔と平行する両側辺に複数個のＶ形切欠部が間隔を置いて設けられていることを特徴とする請求項１記載の竹製枕。
【請求項４】
前記一対の端板の上周縁部沿いに複数個の指入れ把持穴が間隔を置いて設けられていることを特徴とする請求項１記載の竹製枕。
【考案の詳細な説明】
【技術分野】
【０００１】
この考案は、通気性に優れ、夏季等の高温・多湿な時期においても快適に安眠できる竹製枕に関するものである。
【背景技術】
【０００２】
従来、梁部材によって対峙状態に連結された一対の端板と、この一対の端板の周縁部間に平行に張設された複数本の索条体と、竹材からなる扁平矩形板状の複数個の竹駒で、その少なくとも幅方向両側に前記索条体が挿通する縦貫通孔を有し、前記端板間の索条体に前記竹駒を挿通して数珠繋ぎに接続した複数組の竹駒集合体とを具備する竹製枕は、下記特許文献１に開示され一般に知られている。
【特許文献１】実用新案登録第３０７５６７６号公報
【考案の開示】
【考案が解決しようとする課題】
【０００３】
しかし、前記従来の竹製枕は、一対の端板が木製であり、該端板間に配設される多数個の竹駒が厚さの厚い扁平矩形板状の竹材で形成されているので、製品重量が重くて取り扱いが不便であり、また枕全体の通気性は竹駒集合体間の隙間で確保できるが、扁平矩形板状の竹駒は通気性がないため、頭が当たる竹駒部分で汗をかき、涼感が損なわれるという問題があった。
【０００４】
この考案は、前記事情に着目してなされたもので、その目的とするところは、製品自体の重量を軽減し取り扱いを便利にする共に、通気性を高めて衛生的にすること、就寝中の汗の乾きを早め、涼感を持続させることができる、実用価値の高い竹製枕を提供することにある。
【課題を解決するための手段】
【０００５】
この考案は前記の目的を達成するために、請求項１は、梁部材１によって対峙状態に連結された一対の端板２と、この一対の端板２の周縁部間に平行に張設された複数本の索条体６と、竹材からなる扁平矩形板状の複数個の竹駒４で、その少なくとも幅方向両側に前記索条体６が挿通する縦貫通孔５を有し、前記端板２間の索条体６に前記竹駒４を挿通して数珠繋ぎに接続した複数組の竹駒集合体７とを具備する竹製枕において、前記各竹駒４に前記縦貫通孔５と直交する方向に貫通した横貫通孔１０と、各竹駒４の内外面に連通して開口する通気穴１１とを設けたことを特徴とする。
【０００６】
前記横貫通孔１０と前記通気穴１１は、重量軽減の目的では互いに変位する位置に設けても良いが、重量軽減と通気性の確保という両目的を効果的に達成するためには、請求項２のように、横貫通孔１０と通気穴１１を各竹駒４の中央位置で交差連通させることが望ましい。
【０００７】
また、更なる重量軽減の目的達成のためには、請求項３のように、各竹駒４の縦貫通孔５と平行する両側辺に複数個のＶ形切欠部１２を間隔を置いて設けたり、請求項４のように、一対の端板２に上周縁部沿いに位置させて複数個の指入れ把持穴１３を間隔を置いて設けたりすることが望ましい。
【考案の効果】
【０００８】
この考案の請求項１に係る竹製枕は、各竹駒４に縦貫通孔５と直交する方向に貫通した横貫通孔１０と、各竹駒４の内外面に連通して開口する通気穴１１とを設けているので、この横貫通孔１０と通気穴１１の開設により製品自体の重量が軽減され、取り扱いが便利になると共に、各竹駒４の内外面方向及び横方向の通気性を通気穴１１と横貫通孔１０で高めて衛生的にし、就寝中の汗の乾きを早めて、涼感を持続させることができる等の優れた実用上の効果を奏する。
【０００９】
また請求項２のように、横貫通孔１０と通気穴１１を各竹駒の中央位置で交差連通させると、竹駒通気穴１１に内外面方向に向けて空気が流通する時に竹駒両側辺から横貫通孔１０を介して空気が吸い込まれるような通気現象が生じるので、横貫通孔１０と通気穴１１のクロス開設により重量軽減と通気性の確保という両目的を効果的に達成することができる。
【００１０】
更に請求項３のように、各竹駒４の縦貫通孔５と平行する両側辺に複数個のＶ形切欠部１２を前記横貫通孔１０及び通気穴１１に付加して設けると、製品重量を更に軽減させることができると共に、各竹駒両側のＶ形切欠部１２により竹駒両側部の通気性も確保して、枕全体の通気性とＶ形切欠部１２による装飾性を高めることができる。
【００１１】
また請求項４のように、一対の端板２に上周縁部沿いに位置させて複数個の指入れ把持穴１３を間隔を置いて設けると、この複数個の指入れ把持穴１３を用いた枕の把持移動が容易に行えると共に、前記竹駒４に対する横貫通孔１０及び通気穴１１の付設と相俟って製品重量を更に軽減させることができる。
【考案を実施するための最良の形態】
【００１２】
以下、この考案の実施の形態を図面に従い具体的に説明する。
【００１３】
図１はこの考案の竹製枕の中央縦断面図、図２は図１のＡ−Ａ線に沿う横断面図、図３は竹駒集合体の要部の横断平面図、図４は一個の竹駒を示す横断平面図である。図中２は左右一対の木製の端板で、この一対の端板２は前後に平行離間する２本の木製梁部材１によって対峙状態に連結されている。
【００１４】
前記一対の端板２は略蒲鉾状であり、平坦な底部２ａと円弧状の上周縁部２ｂとを有している。前記端板２の全周にわたる周縁部沿いの位置には、両端板２を板厚方向に貫通する複数個の通し孔３が等間隔に穿設されていると共に、複数個例えば３個の指入れ把持穴１３が間隔を置いて図１、図２の如く設けられている。
【００１５】
４は竹材からなる扁平矩形板状の竹駒で、この竹駒４は丸竹を縦方向に割って所定の幅に形成すると共に所定の長さに切断して、例えば４０ｍｍ（長さ）×２２ｍｍ（幅）×５ｍｍ（厚さ）位の大きさの扁平矩形板として形成している。
【００１６】
前記竹駒４の幅方向両側には竹駒長さ方向に向けて直径３mm程度の縦貫通孔５が平行に穿設されている。また、前記竹駒４には縦貫通孔５と直交する方向に貫通した直径３mm程度の横貫通孔１０と、竹駒４の内外面に連通して開口する直径５mm程度の通気穴１１とが設けられている。
【００１７】
なお、前記横貫通孔１０と前記通気穴１１は、重量軽減の目的では竹駒４の互いに変位する位置に設けても良いが、重量軽減と通気性の確保という両目的を効果的に達成するために、この実施例では、横貫通孔１０と通気穴１１を竹駒中央位置に配設して図３、図４の如く交差連通（クロス開口）させている。前記横貫通孔１０は２本の縦貫通孔５とも図３、図４の如く交差連通している。
【００１８】
前記竹駒４の縦貫通孔５と平行する両側辺には、複数個例えば４個のＶ形切欠部１２が所定の間隔を置いて設けられている。そして、この竹駒４の両側縁及び両端縁は、研磨加工によって平滑に面取りされている。
【００１９】
前記のような構成の竹駒４を多数個用意し、各竹駒４の縦貫通孔５に凧糸や引張り強度の強い合成繊維糸、テグス等の索条体６を挿通して、複数個の竹駒４を帯状に数珠繋ぎに接続することにより、例えば１列が６個の竹駒４からなる竹駒集合体７が構成されている。なお、前記索条体６の太さは縦貫通孔５の直径より僅かに小径な２mm程度とされ、その遊挿隙間を介して縦横貫通孔５，１０が通気連通されるようになっている。
【００２０】
１列が６個の竹駒４からなる竹駒集合体７は、その長手方向両端部を索条体６を介して一対の端板２の通し孔３に挿通して結束することにより、両端板間に張設されており、各竹駒集合体７は平行状態を保って端板２の全周に配設されている。
【００２１】
この場合、索条体６は１本で、竹駒４の一方の縦貫通孔５に挿通した索条体６を一対の端板２の通し孔３に挿通した後、その索条体６を折り返して竹駒４の他方の縦貫通孔５に挿通する手段を繰り返し、つまり竹駒４の縦貫通孔５に挿通した索条体６を端板2間に蛇行するように張設することにより、竹駒集合体７は平行状態を保って端板２の全周に配設される。
【００２２】
更に、端板２間の全周に配設した竹駒集合体７を構成する各竹駒4相互間には、例えばポリプロピレン等の合成樹脂材料からなるクッション性を有した環状のスペーサ８が介在され、各竹駒4相互間に隙間９を確保して竹駒4相互間の接触を防止している。
【００２３】
前記スペーサ８は扁平紐状で、その長手方向に所定の間隔を存して通孔８ａが穿設されていて、この通孔８ａには索条体６が挿通されている。このスペーサ８は複数列の竹駒集合体７を結束するように環状に形成され、端板2間の略中間部の複数本は両端側より環状径が小さく形成されている。従って、竹製枕の略中央部は僅かに絞られ、使用者の頭部を安定して載せることができるようになっている。
【００２４】
前記のように構成された竹製枕は、頭部を支える部分が索条体６で連結された竹駒４によって形成され、しかも各竹駒４には前記のような横貫通孔１０と通気穴１１及び複数個のＶ形切欠部１２が設けられているので、通気性に優れている。また、各竹駒４が索条体６によって連結されているため、クッション性を有し、使用者の頭部形状に倣って変形し、頭部に負担が加わることはない。
【００２５】
なお、この考案は前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を組合わせてもよい。
【図面の簡単な説明】
【００２６】
【図１】この考案の竹製枕の中央縦断面図。
【図２】図１のＡ−Ａ線に沿う横断面図。
【図３】竹駒集合体の要部の横断平面図。
【図４】一個の竹駒を示す横断平面図。
【符号の説明】
【００２７】
１…梁部材、２…一対の端板、４…竹駒、５…縦貫通孔、６…索条体、７…竹駒集合体、１０…横貫通孔、１１…通気穴、１２…Ｖ形切欠部、１３…指入れ把持穴。
【図１】
0003107993.tif 000003
【図２】
0003107993.tif 000004
【図３】
0003107993.tif 000005
【図４】
0003107993.tif 000006